(57)【要約】【課題】廃材破砕部において廃材が詰まることなく所定の大きさ以下に破砕することができると共に破砕後の廃材をその大きさによって分別することができる廃材破砕処理装置を提供する。【解決手段】解体家屋用の瓦等の廃材を破砕処理する装置１であって、廃材投入部２と、この廃材投入部２に投入された廃材を上昇させる廃材運搬手段３と、廃材破砕部４と、廃材選別部５とを備えている。【選択図】図１
2004105784.tif 000002
【特許請求の範囲】
【請求項１】
解体家屋用の瓦等の廃材を破砕処理する装置であって、廃材投入部と、該廃材投入部に投入された廃材を上昇させる廃材運搬手段と、廃材破砕部と、廃材選別部とを備えたことを特徴とする廃材破砕処理装置。
【請求項２】
廃材選別部を通過し破砕された廃材の重量を計測する破砕廃材計測部を備えたことを特徴とする請求項１に記載の廃材破砕処理装置。
【請求項３】
廃材破砕部への廃材の投入量を制御する制御部を備えたことを特徴とする請求項１又は２に記載の廃材破砕処理装置。
【請求項４】
廃材投入部にバイブレータを備えたことを特徴とする請求項１乃至３のいずれかに記載の廃材破砕処理装置。
【請求項５】
廃材破砕部は回転軸と、この回転軸の一端と連結し回転軸を回転駆動させるモーターと、前記回転軸に備えられた複数の破砕刃と、前記回転軸の他端に設置されたフライホイールとを備えたことを特徴とする請求項１乃至４のいずれかに記載の廃材破砕処理装置。
【請求項６】
廃材破砕部は回転軸に備えられた破砕刃の下方に所定の間隔をおいて、網目が所定の大きさの網状固定刃が設置されていることを特徴とする請求項５に記載の廃材破砕処理装置。
【発明の詳細な説明】
【０００１】
【発明の属する技術分野】
本発明は、家屋を解体するときに排出される瓦やスレート等の廃材を処理する時に使用する廃材破砕処理装置に関するものである。
【０００２】
【従来の技術】
従来の廃材破砕処理装置には、図５に示す構成のものが知られている。（例えば、特許文献１参照）この廃材破砕処理装置３０は、ホッパー３１の下部にベルトコンベア３２を配設し、このベルトコンベア３２の下流側に回転ハンマー３３を設置し、この回転ハンマー３３よりも下流側に上下方向に開閉自在の搬出口３４を設置している。
【０００３】
そして、搬出口３４の開口丈を調整することで、開口丈よりも小さくなるまで回転ハンマー３３によって繰り返し殴打されて粉砕されるという構成としている。
【０００４】
【特許文献１】
特開平１１−１０４５０７号公報
【０００５】
【発明が解決しようとする課題】
しかしながら、上記構成では、ホッパー３１に投入される廃材の量が廃材破砕処理装置３０の処理能力を超えている場合には回転ハンマー３３付近で廃材が詰まり、回転ハンマーの回転が止まってしまうことが考えられる。
【０００６】
また、破砕された廃材も、その大きさによって用途がことなるため分別できれば便利である。
【０００７】
本発明は上記点に鑑み、廃材破砕部において廃材が詰まることなく所定の大きさ以下に破砕することができると共に破砕後の廃材をその大きさによって分別することができる廃材破砕処理装置を提供することを目的とする。
【０００８】
【課題を解決するための手段】
請求項１の発明は、解体家屋用の瓦等の廃材を破砕処理する装置であって、廃材投入部と、該廃材投入部に投入された廃材を上昇させる廃材運搬手段と、廃材破砕部と、廃材選別部とを備えたことに特徴を有する。
【０００９】
請求項２の発明は、廃材選別部を通過し破砕された廃材の重量を計測する破砕廃材計測部を備えたことに特徴を有する。
【００１０】
請求項３の発明は、廃材破砕部への廃材の投入量を制御する制御部を備えたことに特徴を有する。
【００１１】
請求項４の発明は、廃材投入部にバイブレータを備えたことに特徴を有する。
【００１２】
請求項５の発明は、廃材破砕部は回転軸と、この回転軸の一端と連結し回転軸を回転駆動させるモーターと、前記回転軸に備えられた複数の破砕刃と、前記回転軸の他端に設置されたフライホイールとを備えたことに特徴を有する。
【００１３】
請求項６の発明は、廃材破砕部は回転軸に備えられた破砕刃の下方に所定の間隔をおいて、網目が所定の大きさの網状固定刃が設置されていることに特徴を有する。
【００１４】
【発明の実施の形態】
次に、本発明の実施形態を図面に基づいて説明する。図１は本発明に係る廃材破砕処理装置の全体を示す説明図である。この廃材破砕処理装置１は廃材投入部２と、この廃材投入部２から投入された廃材を上昇させる運搬手段であるベルトコンベア３と、このベルトコンベア３で運搬された廃材を破砕する廃材破砕部４と、この廃材破砕部４で所定の大きさ以下に破砕された廃材を大きさ別に分別する廃材選別部５とを備えているものである。
【００１５】
次に、図１乃至図４を用いて廃材が投入された後、破砕され、選別されて袋詰めにされるまでの過程について詳しく説明する。
【００１６】
先ず、廃材（主に解体された家屋から排出される瓦やスレート等）はベルトコンベア３の下部近傍に設けられた廃材投入部２に投入される。この廃材投入部２にはバイブレータ６が設置されていて、このバイブレータ６によって廃材投入部２に振動を与えることで投入された廃材である瓦等が重なることがなく、ほぼ均一にベルトコンベア３に載置されるのである。
【００１７】
次に、ベルトコンベア３の中間部分には廃材検知センサー７が設置されていて、この廃材検知センサー７は図２に示すように、ベルトコンベア３から送られてくる廃材が所定量以上あると、検知板７ａが矢印方向に動くことによって電流が流れ、制御盤８に伝達されて、ベルトコンベア３の回転を停止させる。そして、所定量以上の廃材を取り除くことによって再始動するのである。
【００１８】
これによって、廃材破砕部４には処理能力以上の大量の廃材が投入されることはなく、後述する破砕刃が大量の廃材を噛み込んで破砕刃の回転が停止するのを防ぐことができるのである。尚、ベルトコンベア３はタイマーによって移動と停止とが繰り返され、間欠的に動くようになっているものである。
【００１９】
そして、ベルトコンベア３の上部まで到達した廃材は順次、廃材破砕部４に間欠的に投入されるのである。この廃材破砕部４には図３（イ）に示すように断面十字状の２個の同形状の回転ブロック９ａ，９ｂが設置されているものであり、この回転ブロック９ａ，９ｂには各々複数の破砕刃９０ａ，９０ａ・・，９０ｂ，９０ｂ・・が設置されているのである。
【００２０】
また、図３（ロ）に示すように回転ブロック９ａと９ｂとは一端に連結した回転モータ（図示せず）の駆動力によって回転する回転軸１０に対して４５度ずらして設置されており、これによって回転モータに負荷されるトルクを小さくしている。さらに、回転軸１０の他端には回転ブロック９ａ及び９ｂが回転した時の慣性力を高めるためにフライホイール１１が設置されている。
【００２１】
さらに、図３（ハ）に示すように廃材破砕部４の側部には固定刃が設置されていて、底部にも所定の大きさの網状固定刃１２が横断面円弧状に設置されている。
【００２２】
そして、回転ブロック９ａ，９ｂが回転すると廃材は、まず回転ブロック９ａ又は９ｂに設置された破砕刃９０ａ，９０ｂと固定刃２０との間に挟まれて破砕される。次に、この破砕された廃材は回転ブロック９ａ又は９ｂに設置された破砕刃９０ａ，９０ｂと網状固定刃１２の間で、さらに細かく破砕されるのである。
【００２３】
そして、網状固定刃１２の所定の大きさの網目を通過することができる大きさとなるまで、繰り返し破砕されるのである。
【００２４】
次に廃材破砕部４の網状固定刃１２の網目を通過した破砕された廃材は廃材選別部５に到達するのである。この廃材選別部５は図４に示すように円筒に複数の所定大きさの穴１３ａ，１３ａ・・が穿設された回転選別機１３をモータ１４によって回転させてなるものであり、破砕された廃材は、この回転選別機１３の穴１３ａを通過する大きさのものは、回転選別機１３の下方に設置された箱１５に収容されるのである。
【００２５】
また、回転選別機１３の穴１３ａを通過できなかった大きさの廃材は、図１に示すように袋１６に収容されるのである。この袋１６は、収容される破砕された廃材が所定の重量になると、シーソー秤（破砕廃材計測部）１７の錘１８より重くなるので、下方に移動し、これをセンサ１９が検知して自動的に廃材破砕処理装置１の全体の動きがストップし、次の袋に交換することができるようになっているのである。尚、シーソー秤１７の錘１８は図面上、左右方向にスライドできるようになっており、袋の大きさに合わせて破砕された廃材の量を調節することができるのである。
【００２６】
ここで、箱１５に収容された細かな破砕廃材は地盤を改良する際にセメントと一緒に混ぜて使用できる等の使い道があり、袋１６に収容された少し大きめの破砕廃材は、ソルバック工法等で砂利の替わりとして使用できる等の使い道がある。
【００２７】
尚、本発明の趣旨を逸脱しない範囲において、種々の実施形態をとるこができることは言うまでもない。例えば、上記実施形態では図１に本発明に係る廃材破砕処理装置１全体を示しているが、この構成はコンパクトに分解することが可能となっているものであり、ベルトコンベア３と、廃材破砕部４と、廃材選別部５とを分離すれば、２ｔトラックで輸送することができるものである。
【００２８】
また、組立作業も短時間で行うことができるので、解体家屋現場に直接輸送して設置し、廃材破砕作業を行うことができるので非常に便利である。
【００２９】
【発明の効果】
請求項１の発明は、解体家屋用の瓦等の廃材を破砕処理する装置であって、廃材投入部と、該廃材投入部に投入された廃材を上昇させる廃材運搬手段と、廃材破砕部と、廃材選別部とを備えたことに特徴を有するので、廃材の破砕から選別まで一つの装置で行うことができて便利である。
【００３０】
請求項２の発明は、廃材選別部を通過し破砕された廃材の重量を計測する破砕廃材計測部を備えたことに特徴を有するので、破砕された廃材を所定の重量ごとに使用する場合に便利である。
【００３１】
請求項３の発明は、廃材破砕部への廃材の投入量を制御する制御部を備えたことに特徴を有するので、従来の装置のように廃材破砕部での廃材の噛み込みを心配する必要がなく作業性を向上させることができる。
【００３２】
請求項４の発明は、廃材投入部にバイブレータを備えたことに特徴を有するので、バイブレータの振動によって廃材である瓦等を少量づつベルトコンベアに載置させることができる。
【００３３】
請求項５の発明は、廃材破砕部は回転軸と、この回転軸の一端と連結し回転軸を回転駆動させるモーターと、前記回転軸に備えられた複数の破砕刃と、前記回転軸の他端に設置されたフライホイールとを備えたことに特徴を有するので、複数の破砕刃によって、投入された廃材を所定の大きさになるまで破砕することができる。また、軸の他端にフライホイールを設置することによって回転軸に設置された破砕刃の慣性力を高めることができる。
【００３４】
請求項６の発明は、廃材破砕部は回転軸に備えられた破砕刃の下方に所定の間隔をおいて、網目が所定の大きさの網状固定刃が設置されていることに特徴を有するので、廃材を網状固定刃の網目を通過することができる大きさとなるまで何度も破砕することによってある程度均一な大きさに破砕された廃材を得ることができる。
【図面の簡単な説明】
【図１】本発明に係る廃材破砕処理装置の全体を示す説明図である。
【図２】廃材検知センサーを示す説明図である。
【図３】廃材破砕部の内部を示す説明図である。
【図４】廃材選別部を示す説明図である。
【図５】従来の廃材破砕処理装置を示す説明図である。
【符号の説明】
１　廃材破砕処理装置
２　廃材投入部
３　ベルトコンベア
４　廃材破砕部
５　廃材選別部
６　バイブレータ
７　廃材検知センサー
８　制御盤
９ａ，９ｂ　回転ブロック
１０　回転軸
１１　フライホイール
１２　網状固定刃
１３　回転選別機
１７　破砕廃材計測部
【図１】
2004105784.tif 000003
【図２】
2004105784.tif 000004
【図３】
2004105784.tif 000005
【図４】
2004105784.tif 000006
【図５】
2004105784.tif 000007